(57)【要約】【課題】  簡単な構成で高効率に上下開閉式のフラットカーテンの巻上げ襞の倒れ込み防止を行ない、また、高効率に多量の、上下開閉式のフラットカーテンの巻上げ襞形状を安定化させるフラットカーテンの巻上げ襞の倒れ込み防止方法およびフラットカーテンの巻上げ襞形状安定化装置を提供する。【解決手段】    機枠ケース内に配置された密閉室と、密閉室内に蒸気供給させる蒸気供給手段と、さらに、係止部を含む。フラットカーテン本体を支持バーに対して正しい襞付き状態で巻き上げ最終位置まで巻き上げて係止したフラットカーテン装置を横長状に配置した状態で係止部に対して着脱自在に係止させ、効率よく短時間でフラットカーテンの巻上げ襞形状安定化処理を行える。【選択図】図５                         
2005076136.tif 000002
【特許請求の範囲】
【請求項１】
横長の支持バーに取り付けられた巻き取り機構によりフラットカーテン生地本体を支持バーに対して巻き上げ、巻き下げ自在に支持するフラットカーテン装置であって、
フラットカーテン装置のフラットカーテン生地本体を支持バーに対して正しい襞付き状態で巻き上げ最終位置まで巻き上げて係止する工程と、
この状態でカーテン襞付きの横長ブロック状の装置を密閉室内に横長状に配置させる工程と、
密閉室内に蒸気を噴射させて所要時間保持させる工程と、を含み、
正しい襞付き状態で形状安定化させてフラットカーテンの巻き上げ、巻き下げ時の巻き上げ襞の倒れ込みを防止することを特徴とするフラットカーテンの巻上げ襞の倒れ込み防止方法。
【請求項２】
機枠ケース内に配置された密閉室と、
密閉室内に蒸気供給させる蒸気供給手段と、を含み、
該密閉室内には、横長の支持バーに収納された巻き取り機構によりフラットカーテン生地本体を支持バーに対して巻き上げ、巻き下げ自在に支持するフラットカーテン装置であって、フラットカーテン生地本体を支持バーに対して正しい襞付き状態で巻き上げ最終位置まで巻き上げて係止したフラットカーテン装置を横長状に配置した状態で着脱自在に係止する係止部が設けられたことを特徴とするフラットカーテンの巻上げ襞形状安定化装置。
【請求項３】
係止部は、支持バーのみと着脱自在に係合する係止部材からなる請求項２記載のフラットカーテンの巻上げ襞形状安定化装置。
【請求項４】
密閉室内には複数の係止部を側面視環状に形成し該係止部をループ移動自在に支持するフラットカーテン装置の係止部のループ移動手段が設けられた請求項２または３記載のフラットカーテンの巻上げ襞形状安定化装置。
【発明の詳細な説明】
【技術分野】
【０００１】
本発明は、上下開閉式のフラットカーテンの巻上げ襞の倒れ込み防止方法並びにフラットカーテンの巻上げ襞形状安定化装置に関する。
【背景技術】
【０００２】
室内の空間・窓・壁などに吊るす布で、光線や温度の調節、防音、遮蔽、間仕切り、装飾用などの幕としてのカーテンは、近時の建物住居では不可欠のものとなっている。ところで、  近時の個性を生かした生き方と自由な生活様式とが相俟って、カーテンついても伝統的なタック取りによる縦襞カーテンのほかに、種々の新しい形態のスタイルカーテンとよばれるカーテンが市場提供されつつある。カーテンは、一般に吊支状態で使用され室内を美しく彩るという機能が強く求められるようになっており、これに対応して、製造後市場提供に際しては型崩れや皺が生じにくい製品であることが品質の優劣を決めるものとなっている。例えば、実開昭６１−１２６８８３号では、形式は古典的ではあるが、波打襞付きローマンシェードの利用に関する示唆がある。そこでは、カーテンに水平な襞取りをして各吊紐間をＵ字状に弛ませて波打ち模様を付ける構成とする場合、下端部分がしだいにＶ字状に幅が狭くなりカーテンの下部の左右側端が内側に寄ってしまって体裁を損なうという点に照らし、カーテン地の上縁部分の横幅と略同長の幅桿、すなわちウエイトバーをカーテン地の下縁部分の左右に接合して水平に取り付けた構造のものが示されている。一方、カーテンの下端を上下に移動させることにより開閉する上下開閉式のフラットカーテンは、わが国の洋風住居において違和感なく採用されつつある。
【特許文献１】実開昭６１−１２６８８３号（全文明細書の第３頁、第１図）
【発明の開示】
【発明が解決しようとする課題】
【０００３】
図１０は、従来の上下開閉式のフラットカーテン２００を示しており、図示しない巻き取り機構を内蔵するレール状の支持バー２０１にタック取りを施していないフラットな状態のカーテン本体２０２を吊支し、巻き取り機構に連係する操作用コード２０３を介して吊り紐２０４の下端のウエイトバー２０５を上下動させることにより、カーテンの上下開閉を行うようになっている。この従来のフラットカーテンは、巻き下げてカーテン地を展開した状態ではフラットな表面形状となり、シンプルですっきりとした室内装飾効果を生じさせる。しかしながら、この従来のフラットカーテンでは、横襞を作って巻き上げるに際し図１１に示すように１個または複数個の襞の両端寄り部分から環状の巻き襞形状が座屈状に崩れ、斜め向き開口Ｋが表れてカーテン自体が整列感を損ない、部屋全体のスマートさや意匠感を損なうこととなり、また、商品としての価値を劣らしめていた。また、このようなカーテンの斜め向き開口部分Ｋが生じないように、例えば図１１に示すように、フラットカーテン地を巻き上げた際の襞付き状態の目安を予めつけて、図１２−１のようにフラットカーテン生地のみについてまずアイロン２０６によりアイロン掛けして折り込み目を付け、その後に巻き取り機構収納の支持バーやウエイトバーを取り付けることも試みられている。しかしながら、この方法では、アイロン掛けにより折込くせを形成させた後に支持バーやウエイトバーを取り付けざるを得ないから、支持バーやウエイトバーを取り付けた後に、微妙な取り付け誤差や位置ずれのために図１２−２のようなシワＲがカーテン生地全体に分布して発生し、やはり商品価値を大きく損なうという問題があった。さらに、１枚づつのカーテン生地についてアイロンかけ作業が必要であり、作業時間や手間がかかりカーテンの生産あるいは加工効率が悪いという問題があった。
【０００４】
本発明は、上記従来の課題に鑑みてなされたものであり、その１つの目的は、簡単な構成で高効率に上下開閉式のフラットカーテンの巻上げ襞の倒れ込み防止を行って商品価値を保持しうる上下開閉式のフラットカーテンの巻上げ襞の倒れ込み防止方法を提供することにある。また、本発明の他の目的は、簡単な構成で高効率に多量の、上下開閉式のフラットカーテンの巻上げ襞形状を安定化させるフラットカーテンの巻上げ襞形状安定化装置を提供することにある。
【課題を解決するための手段】
【０００５】
本発明は、上記の目的を達成するために、横長の支持バー５１に取り付けられた巻き取り機構５３によりフラットカーテン生地本体５２を支持バーに対して巻き上げ、巻き下げ自在に支持するフラットカーテン装置５０であって、フラットカーテン装置のフラットカーテン生地本体５２を支持バー５１に対して正しい襞付き状態で巻き上げ最終位置まで巻き上げて係止する工程と、この状態でカーテン襞付きの横長ブロック状の装置５０を密閉室１４内に横長状に配置させる工程と、密閉室１４内に蒸気を噴射させて所要時間保持させる工程と、を含み、正しい襞付き状態で形状安定化させてフラットカーテンの巻き上げ、巻き下げ時の巻き上げ襞の倒れ込みを防止することを特徴とするフラットカーテンの巻上げ襞の倒れ込み防止方法から構成される。フラットカーテン装置のフラットカーテン生地本体５２を支持バー５１に対して正しい襞付き状態で巻き上げ最終位置まで巻き上げて係止し、この状態でフラットカーテンの巻き上げ襞形状安定化装置の密閉室１４内に横長状に配置させる際には、その正しい横襞がついた上体を崩すことなく保持させて蒸気処理を行う。
【０００６】
また、本発明は、機枠ケース１２内に配置された密閉室１４と、密閉室内に蒸気供給させ
る蒸気供給手段（１６）と、を含み、該密閉室１４内には、横長の支持バー５１に収納された
巻き取り機構５３によりフラットカーテン生地本体５２を支持バー５１に対して巻き上げ、巻
き下げ自在に支持するフラットカーテン装置５０であって、フラットカーテン生地本体５２を
支持バー５１に対して正しい襞付き状態で巻き上げ最終位置まで巻き上げて係止したフラ
ットカーテン装置５０を横長状に配置した状態で着脱自在に係止する係止部１８が設けられ
たフラットカーテンの巻上げ襞形状安定化装置１０から構成される。フラットカーテン装置５
０を支持する機枠側の係止部は多数のフラットカーテン装置を配置支持させ得るように平
面で縦横に複数箇所で設置してもよい。密閉室は、１つの空間内に係止部を支持する支持
フレームを取り付けてフラットカーテン装置を支持させてもよいし、また、密閉室を複数室に
分割して構成してもよい。係止部は、フラットカーテン装置のフラットカーテン生地本体５２
を支持バー５１に対して正しい襞付き状態で巻き上げ最終位置まで巻き上げて係止した状
態を崩さないようにして係止する。フラットカーテン装置のタイプは種々のものについて適
用が可能であり、具体的には、機枠側の係止部及びこれに着脱自在に係着する係止受け
の組み合わせを設定して作業性の良好なものに設定するとよい。好適には横長状にフラッ
トカーテン装置を収束した状態で支持バー部分のみで機枠側に係止させるとよい。機枠側
の係止するための部位、あるいは支持バー側のこれに係合する部位の具体的構造、形態
は任意に設定してよい。
【０００７】
また、密閉室１４内には複数の係止部７４を側面視環状に形成し該係止部をループ移動自在に支持するフラットカーテン装置５０の係止部のループ移動手段（７３）を設ける構成としてもよい。開閉扉からの装置の出し入れに対して該開閉扉側から、すなわち正面側からのみの装着で簡単に横長状に収束したフラットカーテン装置を係止部に懸架し、あるいは、処理後に取り出し操作できる。労力が少なくて出し入れの作業性を良好にし得る。
【発明の効果】
【０００８】
本発明は、横長の支持バーに取り付けられた巻き取り機構によりフラットカーテン本体を支持バーに対して巻き上げ、巻き下げ自在に支持するフラットカーテン装置であって、フラットカーテン装置のフラットカーテン生地本体を支持バーに対して正しい襞付き状態で巻き上げ最終位置まで巻き上げて係止する工程と、この状態でカーテン襞付きの横長ブロック状の装置を密閉室内に横長状に配置させる工程と、密閉室内に蒸気を噴射させて所要時間保持させる工程と、を含み、正しい襞付き状態で形状安定化させてフラットカーテンの巻き上げ、巻き下げ時の巻き上げ襞の倒れ込みを防止することを特徴とするフラットカーテンの巻上げ襞の倒れ込み防止方法から構成されるから、支持バーやウエイトバーを取り付けたフラットカーテン装置を正しい襞付き状態で巻き上げ最終位置まで巻き上げた状態で蒸気処理する結果、処理後にシワ発生を生じさせず理想的なフラットカーテン生地の横襞形状を固定化させるとともに、フラットカーテン装置を横長状として巻き上げ襞形状安定化装置に供給するから効率よく短時間でその形状安定化並びに横襞の倒れこみを防止することが可能である。また、１個のカーテン当たりの処理スペースが小さくてよいから、スペース効率が良好である。
【０００９】
また、本発明は、機枠ケース内に配置された密閉室と、密閉室内に蒸気供給させる蒸気供給手段と、を含み、該密閉室内には、横長の支持バーに収納された巻き取り機構によりフラットカーテン本体を支持バーに対して巻き上げ、巻き下げ自在に支持するフラットカーテン装置であって、フラットカーテン本体を支持バーに対して正しい襞付き状態で巻き上げ最終位置まで巻き上げて係止したフラットカーテン装置を横長状に配置した状態で着脱自在に係止する係止部が設けられたフラットカーテンの巻上げ襞形状安定化装置から構成することにより、支持バーやウエイトバーを取り付けたフラットカーテン装置を正しい襞付き状態で巻き上げ最終位置まで巻き上げた状態で蒸気処理する結果、処理後にシワ発生を生じさせず理想的なフラットカーテン生地の横襞形状を固定化させるとともに、フラットカーテン装置を横長状として巻き上げ襞形状安定化装置に供給するから効率よく短時間でその形状安定化並びに横襞の倒れこみを防止することが可能である。
【００１０】
また、係止部は、支持バーのみと着脱自在に係合する係止部材からなる構成とすることにより、正しい襞付き状態で巻き上げ最終位置まで巻き上げて係止したフラットカーテン装置を横長状に配置した状態でその正しい襞付き状態を崩すことなく、確実に機枠側の係止部に係止させることができる。
【００１１】
また、密閉室内には複数の係止部を側面視環状に形成し該係止部をループ移動自在に支持するフラットカーテン装置の係止部のループ移動手段が設けられた構成とすることにより、開閉扉を介した正面側からの楽な姿勢でフラットカーテン装置の処理のための懸架配置あるいは処理後の安定化装置からの取り出しを簡単に行える。
【発明を実施するための最良の形態】
【００１２】
以下、添付図面を参照しつつ本発明のフラットカーテンの巻上げ襞形状安定化装置を説明しつつ巻上げ襞の倒れ込み防止方法について説明する。
[実施形態１]
【００１３】
本発明のフラットカーテンの巻上げ襞形状安定化装置１０（以下、「安定化装置１０」という）は、正しい横襞付き状態で最終位置まで巻き上げて全体を横長状としたフラットカーテン装置をその正しい横襞付き状態を破壊しない状態で着脱自在に収容配置させてその形状安定化処理を行う装置である。図５ないし図８は、本発明の第１の実施形態に係る安定化装置１０を示しており、図５、図６は、それぞれ全体概略正面図ならびにその側面図である。図において、安定化装置１０は、機枠１２と、機枠内に配置された密閉室１４と、蒸気供給装置１６と、密閉室内に設けたフラットカーテン装置の係止部１８と、を備えている。なお、本実施形態において、説明の都合上、まずフラットカーテンの巻上げ襞形状安定化装置１０に使用されるフラットカーテン装置から説明する。
【００１４】
図１ないし図４は、本実施形態のフラットカーテンの巻き上げ襞形状安定化装置１０に使用されるフラットカーテン装置５０の一例を示しており、図において、フラットカーテン装置５０は、横長の支持バー５１と、フラットカーテン生地本体５２と、支持バーに取り付けられた巻き取り機構５３と、を含む。
【００１５】
支持バー５１は、カーテン生地本体を巻き上げ，巻き下げ状に支持するとともにその巻き取り機構を担持してフラットカーテン装置全体を一体的に結合させる横長状枠体であり、本実施形態において、例えば合成樹脂製の下面を開口した中空ケース体からなり、支持すべきカーテンの横幅と略同じ長さの小径筒形から形成されている。支持バー５１の内部には離隔した２箇所に巻き取りスプール５４の軸部を貫通状として固定した共通軸５５が長手方向に配置され、さらに該共通軸５５に図１、図４に示す操作索条５６が環状移動ガイド５７を介して連係されている。共通軸５５の軸回り方向回転により両スプール５４は同じ方向に回転する。操作索状５６は、その一部を環状移動ガイド５７に掛けまわすように係合し、下端をループ状に垂下させている。そして、この垂下側のいずれかの索状部分を引き下げることによりガイド５７を介して共通軸５５をいずれかの方向に回動させることで、カーテン生地本体５２の巻き上げあるいは巻き下げを行わせる。ここに、巻き取り機構５３は、スプール５４と、共通軸５５と、操作索状５６と、を含む。なお、後述するウエイトバーの引き下げ力による逆転防止のために必要に応じて操作索状５６に係合する図示しない移動方向制御機構を設けてもよい。図に示すように、カーテン生地本体５２の下端には内部に細長い木片等のウエイトバー５８が袋状に縫い付けて収納されている。一方、図１，２に示すように、カーテン生地本体５２に縦に平行にかつそれぞれ間欠的に例えばリング部材等からなるガイド部材５９が取り付けられており、このガイド部材５９を通して吊り紐６０が取り付けられている。この吊り紐６０の下端は、カーテン生地本体５２の下端寄り位置に固定されており、これによって、スプール５４を巻上げ方向に巻き取ることによりカーテン生地本体５２の下端部から巻き上げられて、図３のように順に横襞を形成しつつ巻き上げられる。
【００１６】
図２，４において、支持バー５１の背面５１２側には係止受け６１が取り付けられており、この係止受け６１が後述する安定化装置１０側の係止部に着脱自在に係合し、フラットカーテン装置５０全体を密閉室内において係止させる。係止受け６１は、フラットカーテン装置５０のカーテン生地本体を最終位置まで巻き上げた状態で形成された正しい横襞付き状態を破壊しないような形態で該装置５０を安定化装置１０に着脱支持させる部位であり、実施形態において、係止受け６１は、支持バー５１の背面５１２に沿う縦片６１２と支持バー５１の天面からわずかに水平方向に突出して縦片の上端に連結された横片６１３とからなる下向き開口のＬ字状部材から形成されている。
【００１７】
本発明において、フラットカーテンの巻上げ襞形状安定化装置１０内に着脱自在に収容配置されるフラットカーテン装置５０は、図１，図２のように正しい横襞付き状態を破壊しないような形態でカーテン生地本体を最終位置まで巻き上げ保持させた状態で安定化装置１０内に供給される。
【００１８】
次に、図５ないし図８を参照して安定化装置１０について説明する。本実施形態において、安定化装置の機枠１２は、正面を開口し上下、左右および背面壁を閉鎖した中空の金属ケースからなり内部の密閉室１４を上室、中室、下室１４１，１４２，１４３の三段に仕切るように２個の仕切り桟２０，２１が設けられている。各仕切り桟２０，２１にはそれぞれ上下に連通して空気を通流させる多孔板２２等の連通部が形成され、後述する蒸気が密閉室全体にいきわたるようになっている。下室１４３の多孔板２２の下部には図示しない蒸気噴出口を有する蒸気噴射管が配設されており、該蒸気噴射管に連通する蒸気配管２４およびボイラ２６を介して機枠の底部から蒸気を噴出させる。さらに、この安定化装置１０には、充填した蒸気の排気管２８が接続されている。本実施形態において、蒸気供給装置１６は、ボイラ２６と、蒸気配管２４と、蒸気噴射管と、を含む。
【００１９】
また、この安定化装置１０は、正面開口をフラットカーテン装置の出し入れ口とし、その際の開閉扉３０が開閉自在に設けられている。開閉扉３０は、図６に示すように機枠背面上部の軸支台３２に回転自在に軸支された支軸３４においてＶ字状に連結されたアーム３６と、バランスウエイト３８と、を含む開閉機構により軽い操作で上下動しつつ開閉自在に設けられ扉の内面側の周縁に張設された図示しない弾性パッキン部材により気密状に密閉室内を密閉する。具体的には一端を支軸３４に連結された２個の平行アーム３６の他端側は枢支部４０において開閉扉３０に枢支連結されている。そして、該支軸３４は先端にバランスウエイト３８を固定したアームにも連結されており、これによって、支軸３４を支点として軽い例えば手動操作で開閉扉３０が上下動しつつ正面開口を開閉する。図５において、機枠１２には制御ボックス４２が付設されており、それに設けられた対応するスイッチをオン、オフすることにより、密閉室内への蒸気供給、蒸気温度設定、充填蒸気の保持時間設定、排気のオン、オフ等の制御を指示する。
【００２０】
図５に戻って、各密閉室１４１〜１４３にはフラットカーテン装置５０の係止部１８が設けられている。係止部１８は、正しい横襞付き状態で最終位置まで巻き上げて支持バーと一体化して横長状としたフラットカーテン装置５０を着脱自在に係止させる係止手段であり、フラットカーテン装置５０の正しい横襞付き状態を破壊しないような形態で該装置５０を着脱係止する。前述のように、フラットカーテン装置５０は支持バー５１から垂下状にカーテン生地本体５２を吊支するから支持バー５１の背面側に係止受け６１を取り付け、この係止受けに着脱係合する係止部材４６を各密閉室の上壁側の機枠１２に取り付け固定している。本実施形態において、係止部材４６は、機枠に一部を固定し、上向きに開口するフック状Ｕ字具からなる。これによって、例えば係止受けの縦片６１２のような下向きの突片等に簡単に係合させ、かつ取り外すことができる。この係止部材４６はフラットカーテン装置５０の両端寄り位置に離隔した２個取り付けられ、さらに図５上、奥行き側に複数列設けられている。
【００２１】
本実施形態のフラットカーテンの巻上げ襞形状安定化処理に際しては、上記のように、予めフラットカーテン装置５０の正しい横襞付き状態を破壊しないような形態でカーテン生地本体を最終巻上げ位置まで巻き上げて保持させ装置５０全体が横長状となるようにする。この状態で、開閉扉３０から該装置５０を挿入し、支持バー５１の背面側の係止受け６１を機枠１２側の係止部材４６に係合させる。具体的には、係止受け６１の縦片６１２を係止部材４６のフック状Ｕ字具の開口に挿入して係止させる。その後、蒸気供給装置１６を介して下密閉室１４３側から蒸気を供給して上部側の密閉室１４１，１４２にも蒸気を供給し、所定時間保持させてフラットカーテン生地に正しい横襞形状を定着させる。所定時間蒸気雰囲気中に置いた後、乾燥させて安定化装置１０からフラットカーテン装置５０を取り出し、建築物の室内側の所要の横枠などに取り付けて使用すると、図８に示すように中間巻上げあるいは図７の最終巻き上げ位置にいたるまで正しい横襞状態で襞Ｗが形成されていき、襞中間部の倒れ込みがなく常にスマートで、すっきりした室内意匠感を保持しうる。
【００２２】
[実施形態２]  
次に、本発明の第２実施形態に係る安定化装置１０について説明するが、第１実施形態と
同一部材には同一符号を付し、その詳細な説明は省略する。この第２実施形態では、例え
ば取っ手付きの観音開き式開閉扉７１を有する機枠１２の内部に支架手段としてのスタンド
７２が設置され、このスタンド７２に取り付けられ縦長ループ状に移動するループ移動機構
７３に支持されて複数の係止部７４が設けられている。ループ移動機構７３は、側面視環状
に形成配置された係止部を環状に移動支持する移動支持手段であり、本実施形態におい
て、上下に離隔して対向配置されたプーリ７５．７６と、これらのプーリに調帯されたチェー
ン７７と、を有し、上下プーリ７５，７６は手動で軽く力を加えることにより同一方向に同期回
転するようになっている。そして、チェーン７７には等間隔に図示しない連結バーが取り付
けられ該連結バーに固定されて第１実施形態と同様に左右の離隔対向位置に２個の係止
部材７８がそれぞれ固定されている。それぞれの係止部材７８は、第１実施形態と同様に
上開きに開口したＵ字部材からなり開閉扉７１側で上方からの挿入を受けるようにフック部
を向ける状態でループ状移動する。本実施形態において、各係止部材７８に隣接してロッ
クバネ部材７９が上開きの開口を開閉するように常時は閉鎖方向にバネ付勢されて設けら
れている。ロックバネ部材７９は、係止部材の上向き開口を開状態か閉状態かのいずれか
の状態でトグルスイッチ状に保持されるようになっている。本実施形態においても詳細図示
は省略しているが、底部に蒸気供給配管が接続されて供給管から蒸気を供給するとともに
排気用の排気管が接続され、さらにこれらの蒸気供給時間、保持時間、排気時間設定等
を制御支持する制御ボックスが設置されている点は蒸気の実施形態と同様である。
【００２３】
次に、第２実施形態の作用について説明すると、
フラットカーテン装置５０の正しい横襞付き状態を破壊しないような形態でカーテン生地本体を最終巻上げ位置まで巻き上げて保持させ装置５０全体を横長状として保持させ、その状態で正面側（開閉扉７１側）に向いた左右両側対向位置の係止部材７８の上向き開口内に支持バー５１の係止受け６１の縦片６１２を挿入し保持させる。その際、ロックバネ部材７９をバネ付勢力に抗して例えば手動で開放させ、その状態で縦片６１２を挿入させ、その後ロックバネ部材７９を閉鎖方向に倒してロックさせる。これによって縦長ループ移動するループ移動機構７３を介して横長状のフラットカーテン装置５０を支架させるための係止部１８を常に乗せ掛けやすい正面位置に配置させた状態で簡単かつ能率的に正しい横襞付きの形状安定化処理を行わせることができる。
【００２４】
上記のフラットカーテンの巻き上げ襞形状安定化装置を用いた処理によれば、横長の支持バー５１に取り付けられた巻き取り機構５３によりフラットカーテン本体５２を支持バーに対して巻き上げ、巻き下げ自在に支持するフラットカーテン装置５０であって、フラットカーテン装置５０のフラットカーテン本体５２を支持バー５１に対して正しい襞付き状態で巻き上げ最終位置まで巻き上げて係止する工程と、この状態でカーテン襞付きの横長ブロック状の装置５０を密閉室１４内に横長状に配置させる工程と、密閉室１４内に蒸気を噴射させて所要時間保持させる工程と、を含み、これによって、正しい襞付き状態で形状安定化させてフラットカーテンの巻き上げ、巻き下げ時の巻き上げ襞の倒れ込みを防止することとなる。
【産業上の利用可能性】
【００２５】
本発明のフラットカーテンの巻上げ襞の倒れ込み防止方法並びにフラットカーテンの巻上げ襞形状安定化装置は、手動あるいは自動での巻き上げ、巻き下げ式、コード、チェーン、その他の索条を用いた巻き取り機構あるいはドラム式の巻き取り機構を問わずフラットカーテンタイプ全般についてのフラットカーテンの巻上げ襞形状安定化あるいは、横襞の倒れこみ防止用として適用が可能である。
【図面の簡単な説明】
【００２６】
【図１】本発明の第１実施形態に係るフラットカーテンの巻上げ襞の倒れ込み防止方法並びにフラットカーテンの巻上げ襞形状安定化装置に用いられるフラットカーテン装置の巻き上げ最終位置まで巻き上げた状態の全体斜視説明図である。
【図２】図１のフラットカーテン装置の操作索条を省略した概略側面説明図である。
【図３】図１のフラットカーテン装置のフラットカーテン生地本体を中間高さまで巻き上げた状態を示す斜視図である。
【図４】図１のフラットカーテン装置のフラットカーテン生地本体を中間高さまで巻き上げた状態の側面説明図である。
【図５】本発明の実施形態に係るフラットカーテンの巻上げ襞形状安定化装置の概略正面説明図である。
【図６】図５のフラットカーテンの巻上げ襞形状安定化装置の右側面図である。
【図７】フラットカーテンの巻上げ襞形状安定化装置内にフラットカーテン装置を収容係止させた状態の側面説明図である。
【図８】フラットカーテンの巻上げ襞形状安定化装置内で安定化処理後のフラットカーテンの巻上げ状態を生地本体の全部展開による完全なフラット状態、中間巻上げ状態、巻き上げ最終位置まで巻き上げた状態とを実線ならびに鎖線でしめした説明図である。
【図９】本発明の第２実施形態に係るフラットカーテンの巻上げ襞形状安定化装置の一部省略縦断面説明図である。
【図１０】従来の一般的な上下開閉式のフラットカーテンの概略正面図である。
【図１１】従来のフラットカーテンの巻上げによる横襞の倒れ込みを説明する斜視図である。
【図１２−１】従来のフラットカーテンの横襞形成方法の一例を示す図である。
【図１２−２】図１２−１に示す従来のフラットカーテンの横襞形成方法による場合の不具合状態を示す説明図である。
【符号の説明】
【００２７】
１０    フラットカーテンの巻上げ襞形状安定化装置
１４    密閉室
１６    蒸気供給装置
１８    係止部
４２    制御ボックス
４４    係止部
４６    係止部材
５０    フラットカーテン装置
５１    支持バー
５２    フラットカーテン生地本体
５３    巻き取り機構
５６    操作索条
６１    係止受け
７３    ループ移動機構
７４    係止部
７８    係止部材
【図１】
2005076136.tif 000003
【図２】
2005076136.tif 000004
【図３】
2005076136.tif 000005
【図４】
2005076136.tif 000006
【図５】
2005076136.tif 000007
【図６】
2005076136.tif 000008
【図７】
2005076136.tif 000009
【図８】
2005076136.tif 000010
【図９】
2005076136.tif 000011
【図１０】
2005076136.tif 000012
【図１１】
2005076136.tif 000013
【図１２−１】
2005076136.tif 000014
【図１２−２】
2005076136.tif 000015